(57)【要約】【課題】複数処理の夫々のリアルタイム性を保証することが可能な記録再生装置を提供すること。【解決手段】録画再生装置は、録画再生処理に必要な各種処理を担う各部におけるリアルタイム性を保証する保証性能、及びこれら各種処理の実行時に各部において必要とされる必要性能を記憶する記憶手段と、指定された複数のリアルタイム処理の実行時に各部において必要とされる必要性能の合計を演算し、各部における必要性能の合計と各部における保証性能とを比較して、これら複数のリアルタイム処理が実行可能であるとの判断に基づき、指定された複数のリアルタイム処理を実行し、これら複数のリアルタイム処理が実行不能であるとの判断に基づき、指定された複数のリアルタイム処理のうちの一部処理を変更して実行する処理手段とを備えている。【選択図】図１
2006344283.tif 000002
【特許請求の範囲】
【請求項１】
録画再生処理に必要な各種処理を担う各部におけるリアルタイム性を保証するのに必要な保証性能、及びこれら各種処理の実行時に各部において必要とされる必要性能を記憶する記憶手段と、
指定された複数のリアルタイム処理の実行時に各部において必要とされる必要性能の合計を演算し、各部における必要性能の合計と各部における保証性能とを比較して、これら複数のリアルタイム処理の必要性能が保証性能を超えない場合には、指定された複数のリアルタイム処理を実行し、一方、これら複数のリアルタイム処理の必要性能が保証性能を超える場合には、指定された複数のリアルタイム処理のうちの一部処理を変更して実行する処理手段と、
を備えたことを特徴とする録画再生装置。
【請求項２】
前記各部は、録画再生情報を処理する情報処理部、この情報処理部と入出力処理部との間で録画再生情報を入出力する入出力バス、及びこの情報処理部とメモリとの間で録画再生情報を入出力するメモリバスを含み、
前記記憶手段は、前記情報処理部におけるリアルタイム性を保証するのに必要な保証性能、前記入出力バスにおけるリアルタイム性を保証するのに必要な保証転送帯域、前記メモリバスにおけるリアルタイム性を保証するのに必要な保証転送帯域、各種処理の実行時に前記情報処理部において必要とされる必要性能、各種処理の実行時に前記入出力バスにおいて必要とされる必要転送帯域、及び各種処理の実行時に前記メモリバスにおいて必要とされる必要転送帯域を記憶する、
ことを特徴とする請求項１に記載の録画再生装置。
【請求項３】
前記記憶手段は、リアルタイム処理のうちの変更可能な処理およびその変更情報を記憶し、
前記処理手段は、指定された複数のリアルタイム処理の必要性能が保証性能を超える場合には、前記記憶手段に記憶した変更情報に基づいて、指定された複数のリアルタイム処理のうちの変更可能な処理を変更して実行する、
ことを特徴とする請求項１に記載の録画再生装置。
【請求項４】
前記記憶手段は、トランスコーデックを伴う録画処理をトランスコーデックを伴わない録画処理へ変更することが可能な条件を記憶し、
前記処理手段は、トランスコーデックを伴う録画処理を含む指定された複数のリアルタイム処理の必要性能が保証性能を超える場合には、指定された複数のリアルタイム処理のうちのトランスコーデックを伴う録画処理をトランスコーデックを伴わない録画処理へ変更して実行することを特徴とする請求項１に記載の録画再生装置。
【請求項５】
前記記憶手段は、高画質化処理を伴う再生処理を高画質化処理を伴わない再生処理へ変更することが可能な条件を記憶し、
前記処理手段は、高画質化処理を伴う再生処理を含む指定された複数のリアルタイム処理の必要性能が保証性能を超える場合であって、前記記憶手段に記憶した条件に合致するリアルタイム処理が含まれる場合には、指定された複数のリアルタイム処理のうちの高画質化処理を伴う再生処理を高画質化処理を伴わない再生処理へ変更して実行することを特徴とする請求項１に記載の録画再生装置。
【請求項６】
前記処理手段は、録画予約設定時に指定された複数のリアルタイム処理の必要性能が保証性能を超えるか否かを求め、これら複数のリアルタイム処理の必要性能が保証性能を超える場合には、指定された複数のリアルタイム処理のうちの一部処理を変更して実行する旨を表示するとともに、このリアルタイム処理を実行するときは一部処理を変更して実行することを特徴とする請求項１に記載の録画再生装置。
【請求項７】
前記処理手段は、録画予約設定時に指定された複数のリアルタイム処理の必要性能を求め、これら複数のリアルタイム処理の保証性能を超える場合には、指定された複数のリアルタイム処理のうちの一部処理を変更して実行する旨の情報を出力し、録画予約実行直前にも指定された複数のリアルタイム処理の必要性能を求め、これら複数のリアルタイム処理の保証性能を超えるときは、指定された複数のリアルタイム処理のうちの一部処理を変更して実行する旨の情報を出力するとともに一部処理を変更して実行することを特徴とする請求項１に記載の録画再生装置。
【請求項８】
録画再生処理に必要な各種処理を担う各部におけるリアルタイム性を保証するのに必要な保証性能、及びこれら各種処理の実行時に各部において必要とされる必要性能に基づき、指定された複数のリアルタイム処理の実行時に各部において必要とされる必要性能の合計を演算し、各部における必要性能の合計と各部における保証性能とを比較し、
これら複数のリアルタイム処理の必要性能が保証性能を超えない場合には、指定された複数のリアルタイム処理を実行し、一方、これら複数のリアルタイム処理の必要性能が保証性能を超える場合には、指定された複数のリアルタイム処理のうちの一部処理を変更して実行する、
ことを特徴とする録画再生方法。
【請求項９】
トランスコーデックを伴う録画処理を含む複数のリアルタイム処理の必要性能が保証性能を超える場合には、指定された複数のリアルタイム処理のうちのトランスコーデックを伴う録画処理をトランスコーデックを伴わない録画処理へ変更して実行することを特徴とする請求項８に記載の録画再生方法。
【請求項１０】
高画質化処理を伴う再生処理を含む複数のリアルタイム処理の必要性能が保証性能を超える場合には、指定された複数のリアルタイム処理のうちの高画質化処理を伴う再生処理を高画質化処理を伴わない再生処理へ変更して実行することを特徴とする請求項８に記載の録画再生方法。
【発明の詳細な説明】
【技術分野】
【０００１】
本発明は、録画再生処理に必要な複数のアプリケーションを実行する録画再生装置及び録画再生方法に関する。
【背景技術】
【０００２】
近年、ＤＶＤドライブ及びハードディスクドライブなどを搭載した録画再生装置の普及が目覚しく、このような録画再生装置は、例えば１番組を再生しながら１番組を録画するなど同時に複数処理をリアルタイムに実行することができる。同時に複数の処理をリアルタイムに実行する場合、各種処理を担う各部における処理性能（処理能力）が問題となる。つまり、複数処理実行時に各部の処理性能を超える負荷がかかると、処理の遅延（リアルタイム処理エラー）が生じる。
【０００３】
例えば、ハードディスク等の資源を共用し、中断が許されない処理と、その処理以外のバックグラウンド処理を実行するにあたり、中断が許されない処理に必要なハードディスクアクセス帯域を割り当てた後に、帯域の余剰量を求めて、その余剰量の範囲内で最大限にバックグラウンド処理にハードディスクアクセス帯域を割り当てる技術が開示されている（特許文献１参照）。
【特許文献１】特開２００２−１６５１１５
【発明の開示】
【発明が解決しようとする課題】
【０００４】
しかしながら、上記した技術は、一方の処理を優先して実行し、この一方の処理に悪影響を与えない範囲で他方の処理を実行する技術に過ぎず、複数処理の夫々のリアルタイム性を保証することはできない。
【０００５】
本発明の目的は、上記課題を解決するためになされたものであり、複数処理の夫々のリアルタイム性を保証することが可能な記録再生装置及び記録再生方法を提供することにある。
【課題を解決するための手段】
【０００６】
この発明の記録再生装置及び記録再生方法は、以下のように構成されている。
【０００７】
（１）この発明の記録再生装置は、録画再生処理に必要な各種処理を担う各部におけるリアルタイム性を保証するのに必要な保証性能、及びこれら各種処理の実行時に各部において必要とされる必要性能を記憶する記憶手段と、指定された複数のリアルタイム処理の実行時に各部において必要とされる必要性能の合計を演算し、各部における必要性能の合計と各部における保証性能とを比較して、これら複数のリアルタイム処理の必要性能が保証性能を超えない場合には、指定された複数のリアルタイム処理を実行し、一方、これら複数のリアルタイム処理の必要性能が保証性能を超える場合には、指定された複数のリアルタイム処理のうちの一部処理を変更して実行する処理手段とを備えている。
【０００８】
（２）この発明の記録再生方法は、録画再生処理に必要な各種処理を担う各部におけるリアルタイム性を保証するのに必要な保証性能、及びこれら各種処理の実行時に各部において必要とされる必要性能に基づき、指定された複数のリアルタイム処理の実行時に各部において必要とされる必要性能の合計を演算し、各部における必要性能の合計と各部における保証性能とを比較し、これら複数のリアルタイム処理の必要性能が保証性能を超えない場合には、指定された複数のリアルタイム処理を実行し、一方、これら複数のリアルタイム処理の必要性能が保証性能を超える場合には、指定された複数のリアルタイム処理のうちの一部処理を変更して実行する。
【発明の効果】
【０００９】
本発明によれば、複数処理の夫々のリアルタイム性を保証することが可能な記録再生装置及び記録再生方法を提供できる。
【発明を実施するための最良の形態】
【００１０】
以下、図面を参照し、本発明の実施形態について説明する。
【００１１】
図１は、この発明の一例に係る録画再生装置の概略構成を示すブロック図である。図１に示す録画再生装置は、リアルタイム処理が必要な複数のアプリケーションソフトを処理できる。この録画再生装置は、マルチメディアに特化したＣＰＵ１０、メモリ（ＲＡＭ）１１、各種ＩＯを搭載したＩＯ＿ＬＳＩ１２、ＣＰＵ１０とメモリ１１間の帯域保証が可能なメモリバス１３、ＣＰＵ１０とＩＯ＿ＬＳＩ１２の間の帯域保証が可能なＩ／Ｏバス１４、ＢＳ／ＣＳデジタルチューナー、地上波デジタルチューナー、地上波アナログチューナーなどの複数のチューナー２１、ハードディスクドライブ（ＨＤＤ）２２、記録可能なＤＶＤドライブ２３、イーサーネット（登録商標）インターフェース２４、ワイヤレスＬＡＮカード２５、ビデオ用Ｄ／Ａコンバーター２６、オーディオ用Ｄ／Ａコンバーター２７、ビデオ用Ａ／Ｄコンバーター２８、オーディオ用Ａ／Ｄコンバーター２９、ＲＯＭ３０などを備えている。
【００１２】
上記した録画再生装置の基本動作について説明する。リアルタイム処理が必要なアプリケーションソフトについてはあらかじめ、図２、図３、及び図４に示すように、アプリケーションごとに必要性能を用意する。つまり、録画再生処理に必要な各種処理（デマックス、暗号復号化、デコード、高画質化処理、モニターへの映像出力、ＨＤＤへの保存、トランスコーデックなど）の実行時に各部（ＣＰＵ１０、メモリバス１３、Ｉ／Ｏバス１４など）において必要とされる必要性能を用意する。即ち、ＲＯＭ３０には、図２、図３、及び図４に示す各種処理の実行時に各部において必要とされる必要性能が記憶されている。
【００１３】
指定された複数のアプリケーションソフトを動作させる場合には、図２、図３、及び図４に示す必要性能を参照して、ＣＰＵ１０の性能、メモリバス１３の転送帯域、Ｉ／Ｏバス１４の転送帯域が足りているかを判断し、足りている場合には指定された複数のアプリケーションソフトを動作させる。またＣＰＵ１０の性能、メモリバス１３の転送帯域、Ｉ／Ｏバス１４の転送帯域が足りていない場合には、指定された複数のアプリケーションソフトのうち一部処理を変更して各部の負担を軽減した上で動作させる。このことによりリアルタイム性を損なうことなく、リアルタイム処理が必要なアプリケーションソフトを複数動作させることが可能になる。
【００１４】
例えば、ＣＰＵ１０の性能が１．０を超えるまで、メモリバス１３の転送帯域が１．０ＧＢ／ｓを超えるまで、Ｉ／Ｏバス１４の転送帯域が４００ＭＢ／ｓを超えるまでは、リアルタイム性が保証されるとする。即ち、ＲＯＭ３０には、録画再生処理に必要な各種処理を担う各部（ＣＰＵ１０、メモリバス１３、Ｉ／Ｏバス１４など）におけるリアルタイム性を保証するのに必要な保証性能（ＣＰＵ１０の性能が１．０を超えるまで、メモリバス１３の転送帯域が１．０ＧＢ／ｓを超えるまで、Ｉ／Ｏバス１４の転送帯域が４００ＭＢ／ｓを超えるまではリアルタイム性を保証する旨の情報）が記憶されているとする。
【００１５】
また、以下の（Ａ）〜（Ｃ）の処理の実行について考える。
【００１６】
（Ａ）ＴＶ視聴
（Ｂ）ＴＶ視聴とトランスコーデックなしの録画
（Ｃ）ＴＶ視聴とトランスコーデックなしの録画１とトランスコーデックありの録画２
上記（Ａ）、（Ｂ）、（Ｃ）の各処理について必要とされるＣＰＵ１０の性能、メモリバス１３の転送帯域、Ｉ／Ｏバス１４の転送帯域を計算すると、図５に示すようになる。
【００１７】
つまり、（Ａ）については、リアルタイム性が保証されるシステム性能を超えないので、リアルタイムにＴＶ視聴の処理を実行することができる。
【００１８】
（Ｂ）についても、リアルタイム性が保証されるシステム性能を超えないので、リアルタイムにＴＶ視聴とトランスコーデックなしの録画の２つの処理を実行することができる。
【００１９】
しかし、（Ｃ）では、リアルタイム性が保証されるシステム性能を超えるため、リアルタイムにＴＶ視聴とトランスコーデックなしの録画１とトランスコーデックありの録画２の３つの処理を実行することができない。
【００２０】
そこで、複数のリアルタイム処理のうちの一部処理を変更して（負荷を軽減して）実行する。例えば、以下の（Ｄ）を実行する。
【００２１】
（Ｄ）ＴＶ視聴とトランスコーデックなしの録画１とトランスコーデックなしの録画２
（Ｄ）について必要とされるＣＰＵ１０の性能、メモリバス１３の転送帯域、Ｉ／Ｏバス１４の転送帯域を計算すると、図５のようになる。図５の結果から（Ｄ）ではリアルタイム性が保証されるシステム性能を超えないので、リアルタイムにＴＶ視聴とトランスコーデックなしの録画１とトランスコーデックなしの録画２の３つの処理を実行することができる。なお、トランスコーデックは、例えば、ＭＰＥＧ２のデータをＭＰＥＧ４のデータへ変換する処理であり、比較的負荷の大きい処理である。
【００２２】
以上のようにリアルタイム処理を開始する前に、リアルタイム性のチェックを行うことにより、リアルタイム性を保証することができる。
【００２３】
上記説明では、負荷を軽減するために、トランスコーデックを伴う録画処理をトランスコーデックを伴わない録画処理へ変更するケースについて説明した。この場合、例えば、デフォルト設定又はユーザ設定により、メモリ１１の不揮発性領域に、トランスコーデックを伴う録画処理をトランスコーデックを伴わない録画処理へ変更することを許可する情報が記憶されている。この情報を参照して、ＣＰＵ１０は、トランスコーデックを伴う録画処理を含む複数のリアルタイム処理が不能であるとの判断に基づき、指定された複数のリアルタイム処理のうちのトランスコーデックを伴う録画処理をトランスコーデックを伴わない録画処理へ変更して実行する。
【００２４】
また、録画先がハードディスクドライブ（比較的記憶容量が大きい）であれば、トランスコーデックを伴う録画処理をトランスコーデックを伴わない録画処理へ変更することを許可し、録画先がＤＶＤ（比較的記憶容量が小さい）であれば、トランスコーデックを伴う録画処理をトランスコーデックを伴わない録画処理へ変更することを許可しない、などの制御を可能としてもよい。
【００２５】
しかし、上記した負荷の軽減では、（Ｃ）ＴＶ視聴とトランスコーデックなしの録画１とトランスコーデックありの録画２を実行することはできず、（Ｄ）ＴＶ視聴とトランスコーデックなしの録画１とトランスコーデックなしの録画２を実行することになる。トランスコーデックなしの録画１とトランスコーデックありの録画２を実行するために次のようにすることもできる。
【００２６】
例えば、事前に、図６、図７、及び図８に示すように、アプリケーションごとの必要性能と省略可能処理に関する情報を用意する。アプリケーションソフトを動作させる場合には、図６、図７、及び図８に示す必要性能と省略可能処理に関する情報を参照して、ＣＰＵ１０の性能、メモリバス１３の転送帯域、Ｉ／Ｏバス１４の転送帯域が足りているかを判断し、足りている場合には指定された複数のアプリケーションソフトを動作させる。しかしＣＰＵ１０の性能、メモリバス１３の転送帯域、Ｉ／Ｏバス１４の転送帯域が足りていない場合には、指定された複数のアプリケーションソフトのうち変更可能（省略可能）なものを変更（省略）して、再びＣＰＵ１０の性能、メモリバス１３の転送帯域、Ｉ／Ｏバス１４の転送帯域が足りているかを判断する。
【００２７】
例えば、ＣＰＵ１０の性能が１．０を超えるまで、メモリバス１３の転送帯域が１．０ＧＢ／ｓを超えるまで、Ｉ／Ｏバス１４の転送帯域が４００ＭＢ／ｓを超えるまでは、リアルタイム性が保証されるとする。
【００２８】
（Ｃ）について、必要とされるＣＰＵ１０の性能、メモリバス１３の転送帯域、Ｉ／Ｏバス１４の転送帯域を計算すると、図９に示すようになる。つまり、（Ｃ）については、リアルタイム性が保証されるシステム性能を超えるため、リアルタイムに処理することができない。そこで、複数のリアルタイム処理のうちの一部処理を変更（省略）して（負荷を軽減して）実行する。例えば、以下の（Ｃ１）を実行する。
【００２９】
（Ｃ１）ＴＶ視聴（高画質化処理省略）とトランスコーデックなしの録画１とトランスコーデックありの録画２
（Ｃ１）について、必要とされるＣＰＵ１０の性能、メモリバス１３の転送帯域、Ｉ／Ｏバス１４の転送帯域を計算すると、図９に示すようになる。つまり、（Ｃ１）については、リアルタイム性が保証されるシステム性能を超えないので、リアルタイムにＴＶ視聴（高画質化処理省略）とトランスコーデックなしの録画１とトランスコーデックありの録画２の３つの処理を実行することができる。
【００３０】
以上のようにリアルタイム処理を開始する前に、リアルタイム性のチェックを行い、必要性能を超える時には省略可能な処理を省略して再びリアルタイム性のチェックを行うことにより、リアルタイム性を保証することができる。
【００３１】
また、ＣＰＵ１０が、録画予約設定時に指定された複数のリアルタイム処理が実行可能か否かを判断し、これら複数のリアルタイム処理が実行不能であるとの判断に基づき、指定された複数のリアルタイム処理のうちの一部処理を変更（省略）して実行する旨の情報を出力するようにしてもよい。出力される情報はディスプレイに表示され、ユーザは一部処理が変更（省略）されることを知ることができる。また、このディスプレイ表示のタイミングで、ユーザ操作により負荷を軽減するための一部処理の変更（省略）を設定可能としてもよい。
【００３２】
さらに、ＣＰＵ１０が、録画予約実行直前（例えば録画予約実行５分前）にも指定された複数のリアルタイム処理が実行可能か否かを判断し、これら複数のリアルタイム処理が実行不能であるとの判断に基づき、指定された複数のリアルタイム処理のうちの一部処理を変更（省略）して実行する旨の情報を出力するようにしてもよい。ここでも、同様に、出力される情報はディスプレイに表示され、ユーザは一部処理が変更（省略）されることを知ることができる。また、このディスプレイ表示のタイミングで、ユーザ操作により負荷を軽減するための一部処理の変更（省略）を設定可能としてもよい。
【００３３】
また、負荷を軽減する方法として、上記したトランスコーデックの省略や高画質化処理の省略の他に、デコード時のフィルタリング処理レベルの調整が考えられる。例えば、フィルタリング処理を省略してしまえば負荷は大幅に軽減できる。
【００３４】
図１０は、上記したリアルタイム処理の動作制御の一例を説明するためのフローチャートである。図１０に示すように、ＣＰＵ１０は、動作しているアプリケーションを確認し（ＳＴ１）、動作しているアプリケーションの必要性能を計算する。さらに、指定されたアプリケーション（追加で動作させるアプリケーション）の必要性能を計算し（ＳＴ３）、これら複数のアプリケーションの必要性能の合計を計算し、必要性能が保証性能を超えないかをチェックする（ＳＴ４）。必要性能が保証性能を超えなければ（ＳＴ４、ＹＥＳ）、これら複数のアプリケーションを指定されたタイミングで起動する（ＳＴ５）。
【００３５】
必要性能が保証性能を超える場合には（ＳＴ４、ＮＯ）、負荷の軽い処理に変更したり或いは省略可能な処理を省略したりして（ＳＴ６、ＹＥＳ）（ＳＴ７）、再度、複数のアプリケーション（一部変更又は省略されたアプリケーション）の必要性能の合計を計算し、必要性能が保証性能を超えないかをチェックする（ＳＴ４）。必要性能が保証性能を超えなければ（ＳＴ４、ＹＥＳ）、これら複数のアプリケーション（一部変更又は省略されたアプリケーション）を指定されたタイミングで起動する（ＳＴ５）。
【００３６】
上記した本発明によれば、以下の作用効果を得ることができる。
【００３７】
（１）複数のアプリケーションソフトを動作させる場合に、アプリケーションソフトごとの必要性能と、システムがリアルタイム性を保証できる保証性能（ＣＰＵ１０の保証性能、メモリバス１３の保証転送帯域、Ｉ／Ｏバス１４の保証転送帯域）とを準備し、アプリケーションが必要とする必要性能とシステムがリアルタイム性を保証できる保証性能とを比較し、必要性能が保証性能を超えないかをチェックし、必要性能が保証性能を超えていない場合にアプリケーションを動作させることにより、リアルタイム性を保証することができる。
【００３８】
（２）複数のアプリケーションソフトを動作させる場合に、アプリケーションソフトごとの必要性能及び省略可能か否かを示す情報と、システムがリアルタイム性を保証できる保証性能（ＣＰＵ１０の保証性能、メモリバス１３の保証転送帯域、Ｉ／Ｏバス１４の保証転送帯域）とを準備し、アプリケーションが必要とする必要性能とシステムがリアルタイム性を保証できる保証性能とを比較し、必要性能が保証性能を超えないかをチェックし、必要性能が保証性能を超えていない場合にアプリケーションを動作させ、必要性能が保証性能を超えている場合には省略可能な処理を省略して、再度、必要性能が保証性能を超えていないかをチェックし、必要性能が保証性能を超えていない場合にアプリケーションを動作させることにより、より柔軟にリアルタイム処理を行うことができる。
【００３９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４０】
【図１】この発明の一例に係る録画再生装置の概略構成を示すブロック図である。
【図２】ＴＶ視聴時（再生処理）の必要性能の一例を示す図である。
【図３】トランスコーデックなしの録画処理の必要性能の一例を示す図である。
【図４】トランスコーデックありの録画処理の必要性能の一例を示す図である。
【図５】各組み合わせ処理の必要性能の一例を示す図である。
【図６】ＴＶ視聴時（再生処理）の必要性能及び省略可能処理の一例を示す図である。
【図７】トランスコーデックなしの録画処理の必要性能及び省略可能処理の一例を示す図である。
【図８】トランスコーデックありの録画処理の必要性能及び省略可能処理の一例を示す図である。
【図９】各組み合わせ処理の必要性能の一例を示す図である。
【図１０】リアルタイム処理の動作制御の一例を説明するためのフローチャートである。
【符号の説明】
【００４１】
１０…ＣＰＵ、１１…メモリ（ＲＡＭ）、１２…ＩＯ＿ＬＳＩ、１３…メモリバス、１４…Ｉ／Ｏバス、２１…チューナー、２２…ハードディスクドライブ、２３…ＤＶＤドライブ、２４…イーサーネット（登録商標）インターフェース、２５…ワイヤレスＬＡＮカード、２６…ビデオ用Ｄ／Ａコンバーター、２７…オーディオ用Ｄ／Ａコンバーター、２８…ビデオ用Ａ／Ｄコンバーター、２９…オーディオ用Ａ／Ｄコンバーター、３０…ＲＯＭ
【図１】
2006344283.tif 000003
【図２】
2006344283.tif 000004
【図３】
2006344283.tif 000005
【図４】
2006344283.tif 000006
【図５】
2006344283.tif 000007
【図６】
2006344283.tif 000008
【図７】
2006344283.tif 000009
【図８】
2006344283.tif 000010
【図９】
2006344283.tif 000011
【図１０】
2006344283.tif 000012